(57)【要約】【課題】  通常時には手提げとし非常時には防災頭巾として用いられる技術において、手提げが量産できる構成であり、防災頭巾としたときは瞬時に頭部が安全に防護される手提げと防災頭巾兼用手提げとを提供すること。【解決手段】  収納部の開口部５がチャックで開閉自在に閉止され、上端に持ち手を配して成る手提げにおいて、  内側面下部に雌面状ファスナー６と雄面状ファスナー７を横一列に対称に対設して手提げａとして成る。  防災頭巾兼用手提げＡは、前記の手提げａ一対を、その内側面相互を対向して配設し、両者間に四つ折り自在な折曲部を有する防護体８を配設し、その両端において前記内側面に接合して成る。【選択図】図１
2007082884.tif 000002
【特許請求の範囲】
【請求項１】
主体となる収納部の開口部がチャックで開閉自在に閉止され持ち手を配して成る手提げにおいて、
内側面下部に雌面状ファスナーと雄面状ファスナーを横一列に対称に対設して成る手提げ。
【請求項２】
前記請求項１記載の手提げ一対を、その内側面相互を対向して配設し、両者間に四つ折り自在な折曲部を有する防護体を配設し、その両端において前記内側面に接合して成り、通常時は下部の雌雄面状ファスナーの歯合で合体した手提げとし、非常時には防護体を頭部に被せて防災頭巾とすることを特徴とする防災頭巾兼用手提げ。
【発明の詳細な説明】
【技術分野】
【０００１】
本発明は、生活必要品の分野に属し、詳しくは手提げと防災関連の技術に関する。
【背景技術】
【０００２】
普段は手提げとして機能するものを災害時は防災頭巾として使用できる防災頭巾は、実開平５−４３９１９号公報（特許文献１）や実開昭６１−１６７８２３号公報（特許文献２）に提案されているが、何れも着用時に頭部への衝撃に耐えるだけのものがなく、安全面に欠けるものである。
【特許文献１】実開平５−４３９１９号公報
【特許文献２】実開昭６１−１６７８２３号公報
【発明の開示】
【発明が解決しようとする課題】
【０００３】
本発明は、通常時には手提げに非常時には防災頭巾に用いられる技術において、手提げが量産できる構成であり、防災頭巾としたときは瞬時に頭部が安全に防護される防災頭巾兼用手提げを提供するものである。
【課題を解決するための手段】
【０００４】
本発明の請求項１記載の手提げは、主体となる収納部の開口部がチャックで開閉自在に閉止され上端に持ち手を配して成る手提げにおいて、
内側面下部に雌面状ファスナーと雄面状ファスナーを横一列対称に対設して成る。
請求項２記載の防災頭巾兼用手提げは、請求項１記載の手提げ一対を、その内側面相互を対向して配設し、両者間に四つ折り自在な折曲部を有する防護体を配設し、その両端において前記他側方に接合して成る。
【発明の効果】
【０００５】
本発明の手提げによれば、下部の雌雄面状ファスナーにより同一構成のものをそれぞれ反転した状態でその一対を接合できるから、何らの接合手段を付加することなく左右に持ち手のある大きな手提げとなる。また、防災頭巾兼用手提げによれば、前記一対の手提げ間に四つ折り自在な防護体が接合されるだけでその構造も簡易であり、左右の持ち手を開いて防護体を頭部に被せるだけであるから、瞬時に頭部を安全に防護できる。
したがって、通常時は買い物や非常時持ち出し用の手提げとして使用され、突発的な地震に遭遇した場合は瞬時に頭巾として頭部を保護できる効果がある。
【発明を実施するための最良の形態】
【０００６】
本発明の手提げにおいては、雌雄の接合手段であれば面状ファスナーに限定されるものではなく、また、防護体の頭部への着座面には緩衝材を付設することや、防護体の前後部端面には透明な蛇腹状のカーテンを付設するなどは周辺技術として選択される。
さらに、防護体の四つ折りされる折曲部には、公知技術の各種蝶番や折曲自在な柔軟板体から成る折曲接手が用いられる。
【実施例】
【０００７】
本発明の防災頭巾兼用手提げＡ（以下、防災手提げＡとする。）を実施例により説明すると、図１、図２に示すように、左右対称に設けられる収納部４は大なる袋で、その外側面の中段に小なる袋の収納３を設けている。収納部４の上端の外側面には肩に掛ける布製の長尺持ち手１を内側面には手で持つ布製の短尺持ち手２を設け、各収納部３、４の開口部５には開閉用のチャックが付設される。内側面下部には図３に示すように、上下に対称にそれぞれ雌面状ファスナー６と雄面状ファスナー７を設けて、左右組み合わされる片側の手提げａが形成される。
この片側の手提げａ相互は、収納部４を立て下部のファスナー６、７を歯合することにより複合した手提げとすることができる。
次に防災頭巾兼用手提げとする実施例を説明すると、手提げａが一対それぞれ他側方相互を対向して配設された両者間に四つ折りの防護体８がその両端において接合される。防護体８となる４枚の合成樹脂製の防護板９は手提げａの背丈より高さが短尺で、幅も手提げａの幅に収まり、それぞれ中央と左右において折曲部としての突き合わせ部１０の両面（表裏面）が折曲自在な柔軟板体から成る折曲接手１１で接合され、両端の突き合わせ部１０が手提げａの上端近傍に位置決めされてそれぞれ左右端の防護板９が、左右の各手提げａの他側方（内方）に部分的に接合される。
【０００８】
このようにして成る防災手提げＡは、図３に示すように、左部上方に雌面状ファスナー６が設けられ、右部上方には雄面状ファスナー７があり、左部下方に雄面状ファスナー７が配設され、右部下方に雌面状ファスナー６が設けられるから、中央の突き合わせ部１０と左右端の防護板９を折り上げると左右の各雌雄面状ファスナー６、７がそれぞれ歯合されて図１に示す状態となる。
したがって、同一の手提げａが防護体８を介して左右対称に接合される。
地震などの災害発生時には図５、図６に示すように、左右の手提げａが開かれ、防護体８はその中央の２枚の防護板９が図７に示すように頭部１２に被せられ、下方の左右の短尺持ち手２が握られて危険な場所からの脱出が図られ落下するガラスやコンクリートの破片から収納部３、４及び防護体８を介して頭部１２が防護される。
図５の中央で仮想線で示す防護体８の頭部１２への取着面に緩衝材１３を設けたものでは、雌雄面状ファスナー６、７の歯合が解放されて図４に示す状態で頭部１２に被せることができる。そのときは、短尺持ち手２を握る各手は、左右の各手提げａの表面側（一側）がその外方に垂れ下がることとなって、防護される。
本発明によれば、通常時には沢山の物を収納でき、非常時には左右の短尺持ち手２を開くだけで瞬時に頭部１２を防護できるから極めて実用性に優れ、量産可能な構成を有するから安価に提供できる。なお、収納部４の内部には難燃性の断熱材（図外）が内張りされて成る。
【産業上の利用可能性】
【０００９】
本発明によれば、普段は手提げとして手持品の分野で利用され、地震などの災害時には防災頭巾として人命救助の分野で利用できるからその需要は期待できるので、縫製業分野と防災関連産業と防護板となるプラスチック板などの合成樹脂産業が刺激される。
【図面の簡単な説明】
【００１０】
【図１】本発明の防災頭巾兼用手提げＡの正面図。
【図２】図１の左側面図。
【図３】図１の下部を左右に開いた状態の展開図。
【図４】図３の裏面図。
【図５】図１の上部を左右に開いた状態の展開図。
【図６】図５を上部から見た平面図。
【図７】頭部１２に防災頭巾兼用手提げＡを着用した使用状態の説明図。
【符号の説明】
【００１１】
１：長尺持ち手
２：短尺持ち手
３、４：収納部
５：開口部
６：雌面状ファスナー
７：雄面状ファスナー
８：防護体
９：防護板
１０：突き合わせ部
１１：折曲接手
１２：頭部
１３：緩衝材
ａ：手提げ
Ａ：防災頭巾兼用手提げ
【図１】
2007082884.tif 000003
【図２】
2007082884.tif 000004
【図３】
2007082884.tif 000005
【図４】
2007082884.tif 000006
【図５】
2007082884.tif 000007
【図６】
2007082884.tif 000008
【図７】
2007082884.tif 000009